(57)【特許請求の範囲】
【請求項１】
現像剤担持体を収容する現像剤担持体収容部と、該現像剤担持体に供給する現像剤を収容する現像剤収容部と、該現像剤担持体収容部と該現像剤収容部とを連通する連通口と、該現像剤収容部内の現像剤が該現像剤担持体収容部に移動することを防止するために該連通口を封止し除去可能に一部を露出させる連通口封止部材とを有し、画像形成装置本体に対して着脱可能に構成される現像装置と、
該現像装置の着脱にあたって開閉される外装カバーと、
画像形成装置から廃出されるトナーを収容し、画像形成装置本体に対して着脱可能に構成される廃トナー収容器とを備える画像形成装置において、
画像形成装置の出荷時には、上記現像装置が正規の位置に装着され、上記廃トナー収容器が正規の位置とは別の位置に同梱され、かつ、上記外装カバーが閉じられ、
画像形成装置の開梱後に上記連通口封止部材が除去されていない状態では、該連通口封止部材の露出部分と該廃トナー収容器とが干渉して、該廃トナー収容器を正規の位置に装着できないことを特徴とする画像形成装置。
【請求項２】
請求項１の画像形成装置において、
上記連通口封止部材の露出部分には、該連通口封止部材の除去忘れを防止するための除去忘れ防止部材が設けられ、上記廃トナー収容器と該除去忘れ防止部材とが干渉して、該廃トナー収容器を正規の位置に装着できないことを特徴とする画像形成装置。
【請求項３】
請求項２の画像形成装置において、
上記除去忘れ防止部材は該現像装置の外殻と色が異なることを特徴とする画像形成装置。
【請求項４】
請求項２又は３の画像形成装置において、
上記除去忘れ防止部材には、上記連通口封止部材の除去時に把持されても滑らないように滑り止め部が形成されることを特徴とする画像形成装置。
【請求項５】
請求項２又は３の画像形成装置において、
上記除去忘れ防止部材には上記連通口封止部材の除去時に把持するための凹部が形成されていることを特徴とする画像形成装置。
【発明の詳細な説明】
【技術分野】
【０００１】
本発明は、複写機、ファクシミリ、プリンタ等の画像形成装置に関する。
【背景技術】
【０００２】
従来、現像剤担持体収容部と現像剤収容部とを有し、画像形成装置本体に対して着脱可能な現像装置において、現像剤担持体収容部は現像剤担持体を部分的に露出させるための開口部を有している。現像装置を使用開始する前、例えば画像形成装置本体に装着する前でも、現像剤担持体収容部と現像剤収容部とを連通する連通口が開いた状態であると、現像剤収容部と現像剤担持体収容部との間を現像剤や空気の行き来が可能となる。これにより、現像剤が連通口を通って現像剤担持体収容部に移動し、開口部から飛散したり、開口部及び連通口を通じて現像剤が外気と触れることにより現像剤が劣化したりする虞があった。このような現像剤の飛散や劣化を防止するために、現像剤担持体収容部と現像剤収容部との間の連通口を封止する連通口封止部材を設けた構成が知られている。連通口封止部材としてはフィルム状のシール部材が用いられ、このシール部材を使用開始時に引き抜き除去することで現像剤担持体収容部と現像剤収容部とが連通し、現像剤を現像剤担持体収容部に供給することができるようになる。
【０００３】
シール部材を設けることにより、使用開始前の現像剤の飛散や劣化を防止することができたが、使用開始時にシール部材を引き抜き忘れるという問題が生じた。シール部材を引き抜き忘れたまま画像形成を開始しようとすると、現像剤担持体収容部にはトナーの供給がなされないため画像形成を行うことができず、白紙等の異常画像が発生する。また、画像形成時の初期動作において現像剤収容部内に外部からトナーが補給されるように構成されている現像装置では、シール部材を引き抜き忘れたまま画像形成を開始すると、現像剤収容部内ではトナーが消費されない状態にもかかわらずトナーが補給されてトナー濃度が上昇することになる。そのため、画像形成開始直後にシール部材の引き忘れに気付き、シール部材を引き抜いて画像形成を再開しても地汚れやトナー飛散等の不具合が発生する。
【０００４】
このようなシール部材を引き抜き忘れることを防止するための構成として以下に示すものが提案されている。
特許文献１では、画像形成装置本体側に現像装置を装着したことを検出するための複数の電極が設けられている。シール部材が現像装置側の電極の一つを塞ぐ状態で設けてあり、現像装置を画像形成装置に装着した際にシール部材の有無を検出する。
特許文献２は、画像形成装置側の突出部と係合する現像装置の孔部をシール部材が塞いだ状態で設けられることにより、シール部材を引き抜いていない状態では現像装置が装着できない構成である。
特許文献３は、画像形成装置本体に現像装置を装着する際、感光体を露出するためのシャッタ部材の一部とシール部材の把手部材とが干渉することにより、シール部材の把手部材を除去していない状態では現像装置が装着できない構成である。
【０００５】
しかしながら、特許文献１では、シール部材の有無を検知する電気回路が必要になる等、装置の構成が複雑である。また、特許文献１乃至３では、現像装置の着脱方向とシール部材の引き抜き方向とが異なる。そのため、シール部材の引き抜き忘れに気付いたら、現像装置を画像形成装置本体から取り外して別の場所に置き、シール部材を引き抜いた後再度画像形成装置に装着を試みる手間が必要となり操作性が悪い。
【０００６】
そこで、特許文献４では、現像装置の着脱方向とシール部材の引き抜き方向とが同方向となるように構成されている。そして、現像装置本体に現像装置を装着して外装カバーを閉じようとしても、シール部材を引き抜いていない状態ではシール部材の露出部分に取り付けられた引き抜き忘れ防止部材によって外装カバーを閉じることができないようにしている。この画像形成装置では、シール部材の露出部分に引き抜き忘れ防止部材を取り付けるだけの安価且つ簡単な構成で、シール部材の引き抜き忘れを防止することができる。また、現像装置を画像形成装置に装着した状態でシール部材を引き抜くことができる構成であるため、特許文献１乃至３のようにシール部材を引き抜くために現像装置を画像形成装置から取り外す手間が必要なく操作性に優れる。
【０００７】
【特許文献１】特開２００３−２５５８０６号公報
【特許文献２】特許３４５０５６９号公報
【特許文献３】特開２０００−５６６５７号公報
【特許文献４】特開２００６−２０８８２１号公報
【発明の開示】
【発明が解決しようとする課題】
【０００８】
しかしながら、特許文献４の現像装置の構成は、現像装置の寿命等によってユーザーによって交換されるサービスパーツ用の構成である。このサービスパーツ用の現像装置を画像形成装置内の正規の位置に装着して工場から出荷しようとしても、シール部材に取り付けられた引き忘れ防止部材と外装カバーとが干渉して外装カバーを閉じることができず出荷することができない。そのため、出荷される画像形成装置に同梱される現像装置のシール部材にはシール部材除去忘れ防止部材を設けることができず、サービスパーツ用の現像装置とは別に同梱用の現像装置を作り分けなければならなかった。シール部材除去忘れ防止部材がないために、画像形成装置の開梱後にシール部材を引き抜き忘れる虞もあった。
【０００９】
本発明は以上の問題点に鑑みなされたものであり、その目的とするところは、出荷時の同梱用とサービスパーツ用とで作り分ける必要がなく、連通口封止部材の除去忘れを確実に防止することができる画像形成装置を提供することである。
【課題を解決するための手段】
【００１０】
上記目的を達成するために、請求項１の発明は、現像剤担持体を収容する現像剤担持体収容部と、該現像剤担持体に供給する現像剤を収容する現像剤収容部と、該現像剤担持体収容部と該現像剤収容部とを連通する連通口と、該現像剤収容部内の現像剤が該現像剤担持体収容部に移動することを防止するために該連通口を封止し除去可能に一部を露出させる連通口封止部材とを有し、画像形成装置本体に対して着脱可能に構成される現像装置と、該現像装置の着脱にあたって開閉される外装カバーと、画像形成装置から廃出されるトナーを収容し、画像形成装置本体に対して着脱可能に構成される廃トナー収容器とを備える画像形成装置において、画像形成装置の出荷時には、上記現像装置が正規の位置に装着され、上記廃トナー収容器が正規の位置とは別の位置に同梱され、かつ、上記外装カバーが閉じられ、画像形成装置の開梱後に上記連通口封止部材が除去されていない状態では、該連通口封止部材の露出部分と該廃トナー収容器とが干渉して、該廃トナー収容器を正規の位置に装着できないことを特徴とするものである。
請求項２の発明は、請求項１の画像形成装置において、上記連通口封止部材の露出部分には、該連通口封止部材の除去忘れを防止するための除去忘れ防止部材が設けられ、上記廃トナー収容器と該除去忘れ防止部材とが干渉して、該廃トナー収容器を正規の位置に装着できないことを特徴とするものである。
請求項３の発明は、請求項２の画像形成装置において、上記除去忘れ防止部材は該現像装置の外殻と色が異なることを特徴とするものである。
請求項４の発明は、請求項２又は３の画像形成装置において、上記除去忘れ防止部材には、上記連通口封止部材の除去時に把持されても滑らないように滑り止め部が形成されることを特徴とするものである。
請求項５の発明は、請求項２又は３の画像形成装置において、上記除去忘れ防止部材には上記連通口封止部材の除去時に把持するための凹部が形成されていることを特徴とするものである。
本発明の画像形成装置は、開梱後に連通口封止部材の除去を忘れていると、廃トナー収容器を正規の位置に装着しようとしても連通口封止部材の露出部分と干渉して正規の位置に装着できない。そのため、ユーザーは、画像形成装置の開梱の際、確実に連通口封止部材の除去忘れに気付くことができる。一方、画像形成装置の出荷時には、廃トナー収容器が正規の位置とは別の位置に同梱されるため、廃トナー収容器と連通口封止部材の露出部分とが干渉することがない。出荷される画像形成装置本体に装着される同梱用の現像装置と、現像装置の寿命等により交換されるサービスパーツ用の現像装置とで作り分ける必要がなく共通のものを使うことができるようになる。
【発明の効果】
【００１１】
本発明によれば、出荷時の同梱用とサービスパーツ用とで作り分ける必要がなく、連通口封止部材の除去忘れを確実に防止することができる画像形成装置を提供できるという優れた効果がある。
【発明を実施するための最良の形態】
【００１２】
以下、本発明を画像形成装置である電子写真方式のプリンタ（以下、単にプリンタ１００という）に適用した場合の実施形態について説明する。なお、作像部に関してはプロセスカートリッジとして説明する。
まず、プリンタ１００の基本的な構成について説明する。図１は、プリンタ１００の構成を示す概略構成図である。図２は、プリンタ１００のプロセスカートリッジの構成を示す概略断面図である。このプリンタ１００は、図１に示すように、イエロー、マゼンタ、シアン、ブラック（以下、Ｙ、Ｍ、Ｃ、Ｋと記す）のトナー像を生成するための４つのプロセスカートリッジ６Ｙ、Ｍ、Ｃ、Ｋを備えている。これらは、画像形成物質として、互いに異なる色のＹ、Ｍ、Ｃ、Ｋトナーを用いるが、それ以外は同様の構成になっており、寿命到達時に交換される。Ｙトナー像を生成するためのプロセスカートリッジ６Ｙを例にすると、図２に示すようにドラム状の像担持体としての感光体１Ｙ、ドラムクリーニング装置２Ｙ、除電装置（不図示）、帯電装置４Ｙ、現像装置５Ｙ等を備えている。このプロセスカートリッジ６Ｙは、プリンタ１００本体に着脱可能であり、一度に消耗部品を交換できるようになっている。
【００１３】
帯電装置４Ｙは、図示しない駆動手段によって図中時計回りに回転せしめられる感光体１Ｙの表面を一様に帯電せしめる。一様に帯電せしめられた感光体１Ｙの表面は、レーザ光Ｌによって露光走査されてＹ用の静電潜像を担持する。このＹの静電潜像は、Ｙトナーを用いる現像装置５ＹによってＹトナー像に現像される。そして、感光体１Ｙ上に形成されたトナー像は中間転写ベルト８上に中間転写される。ドラムクリーニング装置２Ｙは、中間転写工程を経た後の感光体１Ｙ表面に残留したトナーを除去する。また除電装置は、クリーニング後の感光体１Ｙの残留電荷を除電する。この除電により、感光体１Ｙの表面が初期化されて次の画像形成に備えられる。他のプロセスカートリッジ６Ｍ、Ｃ、Ｋにおいても、同様にして感光体１Ｍ、Ｃ、Ｋ上にＭ、Ｃ、Ｋトナー像が形成され、中間転写ベルト８上に中間転写される。
【００１４】
先に示した図１においてプロセスカートリッジ６Ｙ、Ｍ、Ｃ、Ｋの図中下方には露光装置７が配設されている。潜像形成手段である露光装置７は、画像情報に基づいて発したレーザ光Ｌを、プロセスカートリッジ６Ｙ、Ｍ、Ｃ、Ｋにおけるそれぞれの感光体１Ｙ、Ｍ、Ｃ、Ｋに照射して露光する。この露光により、感光体１Ｙ、Ｍ、Ｃ、Ｋ上にＹ、Ｍ、Ｃ、Ｋ用の静電潜像が形成される。なお露光装置７は、光源から発したレーザ光Ｌを、モータによって回転駆動したポリゴンミラーで走査しながら、複数の光学レンズやミラーを介して感光体に照射するものである。
【００１５】
露光装置７の図中下側には、紙収容カセット２６、これらに組み込まれた給紙ローラ２７、レジストローラ対２８など有する給紙手段が配設されている。紙収容カセット２６は、記録体たる転写紙Ｐが複数枚重ねて収納されており、それぞれの一番上の転写紙Ｐには給紙ローラ２７が当接している。給紙ローラ２７が図示しない駆動手段によって図中反時計回りに回転せしめられると、一番上の転写紙Ｐがレジストローラ対２８のローラ間に向けて給紙される。レジストローラ対２８は、転写紙Ｐを挟み込むべく両ローラを回転駆動するが、挟み込んですぐに回転を一旦停止させる。そして、転写紙Ｐを適切なタイミングで後述の２次転写ニップに向けて送り出す。かかる構成の給紙手段においては、給紙ローラ２７と、タイミングローラ対たるレジストローラ対２８との組合せによって搬送手段が構成されている。この搬送手段は、転写紙Ｐを収容手段たる紙収容カセット２６から後述の２次転写ニップまで搬送するものである。
【００１６】
プロセスカートリッジ６Ｙ、Ｍ、Ｃ、Ｋの図中上方には、中間転写体たる中間転写ベルト８を張架しながら無端移動せしめる中間転写ユニット１５が配設されている。この中間転写ユニット１５は、中間転写ベルト８の他、４つの１次転写バイアスローラ９Ｙ、Ｍ、Ｃ、Ｋ、クリーニング装置１０などを備えている。また２次転写バックアップローラ１２、クリーニングバックアップローラ１３、テンションローラ１４なども備えている。中間転写ベルト８は、これら３つのローラに張架されながら、少なくとも何れか１つのローラの回転駆動によって図中反時計回りに無端移動せしめられる。１次転写バイアスローラ９Ｙ、Ｍ、Ｃ、Ｋは、このように無端移動せしめられる中間転写ベルト８を感光体１Ｙ、Ｍ、Ｃ、Ｋとの間に挟み込んでそれぞれ１次転写ニップを形成している。これらは中間転写ベルト８の裏面（ループ内周面）にトナーとは逆極性（例えばプラス）の転写バイアスを印加する方式のものである。１次転写バイアスローラ９Ｙ、Ｍ、Ｃ、Ｋを除くローラは、全て電気的に接地されている。中間転写ベルト８は、その無端移動に伴ってＹ、Ｍ、Ｃ、Ｋ用の１次転写ニップを順次通過していく過程で、感光体１Ｙ、Ｍ、Ｃ、Ｋ上のＹ、Ｍ、Ｃ、Ｋトナー像が重ね合わせて１次転写される。これにより、中間転写ベルト８上に４色重ね合わせトナー像（以下、４色トナー像という）が形成される。
【００１７】
２次転写バックアップローラ１２は、２次転写ローラ１９との間に中間転写ベルト８を挟み込んで２次転写ニップを形成している。中間転写ベルト８上に形成された４色トナー像は、この２次転写ニップで転写紙Ｐに転写される。２次転写ニップを通過した後の中間転写ベルト８には、転写紙Ｐに転写されなかった転写残トナーが付着している。これは、クリーニング装置１０によってクリーニングされる。
【００１８】
２次転写ニップにおいては、転写紙Ｐが互いに順方向に表面移動する中間転写ベルト８と２次転写ローラ１９との間に挟まれて、レジストローラ対２８側とは反対方向に搬送される。２次転写ニップから送り出された転写紙Ｐは、定着装置２０のローラ間を通過する際に熱と圧力とにより、表面に転写された４色トナー像が定着される。その後、転写紙Ｐは、排紙ローラ対２９のローラ間を経て機外へと廃出される。プリンタ本体の上面には、スタック部３０が形成されており、排紙ローラ対２９によって機外に廃出された転写紙Ｐは、このスタック部３０に順次スタックされる。
【００１９】
また、図１に示すように、中間転写ユニット１５と、これよりも上方にあるスタック部３０との間には、ボトル収容器３１が配設されている。このボトル収容器３１は、Ｙ、Ｍ、Ｃ、Ｋトナーを収容する現像剤収容器としてのトナーボトル３２Ｙ、Ｍ、Ｃ、Ｋを収容している。トナーボトル３２Ｙ、Ｍ、Ｃ、Ｋは、ボトル収容器３１上にトナー各色毎に上方から置くようにして設置する。トナーボトル３２Ｙ、Ｍ、Ｃ、Ｋ内のＹ、Ｍ、Ｃ、Ｋトナーは、それぞれ図示しないトナー補給装置により、プロセスカートリッジ６Ｙ、Ｍ、Ｃ、Ｋの現像装置に適宜補給される。これらのトナーボトル３２Ｙ、Ｍ、Ｃ、Ｋと、プロセスカートリッジ６Ｙ、Ｍ、Ｃ、Ｋとはそれぞれ独立してプリンタ１００本体に着脱可能である。
【００２０】
また、プリンタ１００においては、プロセスカートリッジ６Ｙ、Ｍ、Ｃ、Ｋ内のクリーニング装置２Ｙ、Ｍ、Ｃ、Ｋで回収された排トナー、及び中間転写ユニット１５のクリーニング装置１０で回収された排トナーを収容するための廃トナー収容器である廃トナーボトル８３（図５に図示）が設置されている。なお、この廃トナーボトル８３は、装置の構成によってはプロセスカートリッジ６Ｙ、Ｍ、Ｃ、Ｋのクリーニング装置２Ｙ、Ｍ、Ｃ、Ｋで回収された排トナーのみを収容する形態であってもよい。
【００２１】
次に、プロセスカートリッジ６Ｙ内の現像装置５Ｙの構成について図２を用いて説明する。なお、プロセスカートリッジ６Ｙ、Ｍ、Ｃ、Ｋは、トナーの色が異なる以外は、同一構成であるので、イエロートナーを使用するプロセスカートリッジ６Ｙについて説明し、説明を省略する。現像装置５Ｙは、上ケース７５Ｙによって形成される現像剤担持体収容部としての現像ローラ収容部５３Ｙと、下ケース７６Ｙによって形成される現像剤収容部５４Ｙとから構成される。この現像ローラ収容部５３Ｙは、現像剤担持体としての現像ローラ５１Ｙを収容し、上ケース７５Ｙの開口部から現像ローラ５１Ｙを部分的に露出しており、現像ローラ５１Ｙと感光体１Ｙとの間に現像領域を形成している。また、現像領域から現像ローラ５１Ｙの表面移動方向上流側には、現像剤の層厚を規制する現像剤規制部材としての現像ドクタ５２Ｙが設けてある。
【００２２】
上記現像剤収容部５４Ｙは、トナーとキャリアとからなる二成分現像剤を収容し、仕切壁６３Ｙによって、第１搬送スクリュ５５Ｙａを備える第１現像剤収容部６４と、第２搬送スクリュ５６Ｙを備える第２現像剤収容部６５とに仕切られている。第１搬送スクリュ５５Ｙａの上方には、第１現像剤収容部６４と現像ローラ収容部５３Ｙとを連通する連通口５９Ｙを備えている。第２搬送スクリュ５５Ｙｂの上方には、トナーボトル３２Ｙから補給されるトナーを取り込むためのトナー補給口５８Ｙを備えている。トナー補給口５８Ｙの上部には、トナー補給口５８Ｙを塞ぐためのシャッタ６６Ｙと、シャッタ６６Ｙを保持しトナー補給口５８Ｙを覆うように設けられたトナー補給口ケース６７Ｙが設けられている。第２現像剤収容部６５の底部には、第２現像剤収容部６５内の現像剤のトナー濃度を検知する濃度検知センサ５６Ｙが設けられている。現像装置５Ｙに設けられた制御部５７Ｙは、濃度検知センサ５６Ｙからの検出結果に基づき、図示しないトナー補給装置の駆動モータ４１Ｙに補給信号を出力する。
【００２３】
上記構成の現像剤収容部５４Ｙ内では、第２現像剤収容部６５Ｙ内のトナーとキャリアからなる現像剤が第２搬送スクリュ５６Ｙｂにより攪拌されながら搬送される。第２搬送スクリュ５６Ｙに搬送された現像剤は、仕切壁６３Ｙ端部の開口部を通過し、第１現像剤収容部６４Ｙへと移動する。第１現像剤収容部６４Ｙ内の現像剤は第１搬送スクリュ５５Ｙａにより攪拌されながら搬送され、仕切壁６３Ｙ端部の開口部を通過して第２現像剤収容部６５Ｙへと移動する。このように現像剤は第１搬送スクリュ５５Ｙａ及び第２搬送スクリュ５５Ｙｂによって、現像剤収容部５４Ｙ内を循環している。
【００２４】
第１現像剤収容部６４Ｙ内で第１搬送スクリュ５５Ｙａにより攪拌・搬送される現像剤のうち、現像ローラ５１Ｙに引き寄せられた現像剤が連通口５９Ｙを通って現像ローラ５１Ｙ上に担持される。現像剤中のキャリアは、現像ローラ５１Ｙ内に備えたマグネットローラの磁力により現像ローラ５１Ｙにひきつけられ、現像ローラ５１Ｙ上に担持される。また、現像剤中のトナーは攪拌されることでキャリアとは逆極性に帯電し、キャリアとの間には静電力が働くため、キャリアとともに現像ローラ５１Ｙ上に担持される。現像ローラ５１Ｙに担持された現像剤は、現像ドクタ５２Ｙと現像ローラ５１Ｙの表面との間の隙間（ドクタギャップ）を通過することで層厚が規制される。そして、層厚が規制された現像剤は、感光体１Ｙと対向する現像領域に搬送されると、マグネットローラの磁力により現像ローラ５１Ｙ上に穂立ちした状態となる。ここで、現像ローラ５１Ｙは、現像領域において感光体１Ｙの表面よりも速い線速で同方向に表面移動する。そして、現像ローラ５１Ｙ上に穂立ちしたキャリアは、感光体１Ｙの表面を摺擦しながら、キャリア表面に付着したトナーを感光体１Ｙの表面に供給する。このとき、現像ローラ５１Ｙには、図示しない電源から現像バイアスが印加され、これにより現像領域には現像電界が形成される。そして、感光体１Ｙ上の静電潜像と現像ローラ５１Ｙとの間では、現像ローラ５１Ｙ上のトナーに静電潜像側に向かう静電力が働くことになる。これにより、現像ローラ５１Ｙ上のトナーは、感光体１Ｙ上の静電潜像に付着することになる。この付着によって感光体１Ｙ上の静電潜像は、それぞれ対応する色のトナー像に現像される。
【００２５】
現像によりトナーが消費され、濃度検知センサ５６Ｙが第２現像剤収容部６５内のトナー濃度不足を検知すると、制御部５７Ｙが補給信号を出して駆動モータ４１Ｙを回転させる。図示しないトナー補給装置では、駆動モータ４１Ｙの回転によりトナーボトル３２Ｙが回転し、トナーボトル３２Ｙ内のトナーをトナー補給口５８Ｙを介して第２現像剤収容部６５に補給する。第２現像剤収容部６５内に補給されたトナーは、第２搬送スクリュ５５Ｙｂによってキャリアと攪拌され、上述したように現像剤収容部５４Ｙを循環しながら現像に供されることになる。
【００２６】
次に、上記プロセスカートリッジ６Ｙ内の現像装置５Ｙの連通口５９Ｙを封止する連通口封止部材としてのシール部材について説明する。図３は、シール部材を備えたプロセスカートリッジの外観構成を示す斜視図である。上記構成のプロセスカートリッジ６Ｙは、プリンタ１００に装着されて使用開始されるまで、現像ローラ収容部５３Ｙと第１現像剤収容部６４Ｙとをつなぐ連通口５９Ｙが連通口封止部材としての可撓性を有するシール部材７０Ｙによって除去可能に封止されている。シール部材７０Ｙは、プロセスカートリッジ６Ｙを使用開始するまで、現像剤収容部５４Ｙの現像剤が連通口５９Ｙが洩れて飛散することを防止し、外気と遮断して現像剤が空気に触れることによる現像剤の劣化を防止することができる。そして、このシール部材７０Ｙは、図３に示すように、一方の端部を引きしろ部分としてプロセスカートリッジ６Ｙの側板６Ｙａから露出させ、使用開始時にユーザーによってプロセスカートリッジ６Ｙの着脱方向と同方向に引き抜かれることで除去される。シール部材７０Ｙを引き抜き除去することにより、現像装置５は図２に示した状態となり、第１現像剤収容部６４Ｙから連通口５９Ｙを通して現像ローラ収容部５３Ｙに現像剤を供給できるようになる。なお、プロセスカートリッジ６Ｙ、Ｍ、Ｃ、Ｋの使用開始時とは、後述するようにユーザーの元で初めて開梱される時、及びプロセスカートリッジの寿命等により未使用状態のプロセスカートリッジに交換された時のことをいう。
【００２７】
また、上記シール部材７０には、シール部材の除去忘れを防止する除去忘れ防止部材としての引き抜き忘れ防止部材が設けられている。図４は引き抜き忘れ防止部材を具備したシール部材を備えたすプロセスカートリッジの外観構成を示す斜視図である。図４に示すように、シール部材７０Ｙの露出する引きしろ部分には、シール部材７０Ｙの引き抜き忘れを防止するため、除去忘れ防止部材としての引き抜き忘れ防止部材７１Ｙが設けられている。この引き抜き忘れ防止部材７１Ｙは、シール部材７０Ｙを貫通させた状態でシール部材７０に固定されている。プロセスカートリッジ６Ｙのケーシングの外側の色は一般的に黒であるので、引き抜き忘れ防止部材７１Ｙの色はプロセスカートリッジ６Ｙとは異なる色とする。例えば、赤やオレンジといったプロセスカートリッジ６Ｙの黒に対して目立つ色にすると、さらにシール部材７０Ｙの除去を促すことができるため、好ましい。
【００２８】
次に、上記プリンタの出荷時及び開梱時の構成について説明する。図５は、プリンタの出荷時の様子を説明する斜視図である。図６は、プリンタの開梱時の様子を説明する斜視図である。図５に示すように、プリンタ１００は、図中手前方向に開閉可能な外装カバーとしての側面外装カバー８０、前方（図中右方向）に
開閉可能な前部外装カバー８１、及び上方に開閉可能な上部外装カバー８２を備えている。プリンタ１００の出荷時には、トナーボトル３２Ｙ、Ｍ、Ｃ、Ｋが正規の位置であるボトル収容器３１に装着されて上部外装カバー８２が閉じられる。そして、プロセスカートリッジ６Ｙ、Ｍ、Ｃ、Ｋが正規の位置である現像装置収容位置に装着され、側面外装カバーが閉じられる。なお、プロセスカートリッジ６Ｙ、Ｍ、Ｃ、Ｋは、プリンタ１００本体の図示しない位置決め固定部によって直接位置決め固定されている。一方、廃トナーボトル８３はプリンタ本体１００内の正規の位置とは別の位置に同梱される。例えば、廃トナーボトル８３は、上部外装カバー８３の上に置かれた状態で出荷してよい。このとき、プロセスカートリッジ６Ｙ、Ｍ、Ｃ、Ｋは、シール部材７０Ｙ、Ｍ、Ｃ、Ｋ及び引き抜き忘れ防止部材７１Ｙ、Ｍ、Ｃ、Ｋを備えたままの状態で現像装置収容位置に装着可能であり、その状態で側面外装カバー８０を閉じることができる。そして、上記プリンタ１００がユーザーの元で開梱されると、再度側面外装カバー８０が開かれてプロセスカートリッジ６Ｙ、Ｍ、Ｃ、Ｋ内の現像装置５Ｙ、Ｍ、Ｃ、Ｋのシール部材７０Ｙ、Ｍ、Ｃ、Ｋが引き抜かれて除去される。その後に、廃トナーボトル８３がプリンタ１００に設けられたガイド部材によって正規の位置に装着され、側面外装カバー８０が閉じられることにより、画像形成が可能な状態となる。
【００２９】
ところが、図６に示すように、上記プリンタ１００の開梱後にシール部材７０Ｙ、Ｍ、Ｃ、Ｋを引き抜き忘れて、廃トナーボトル８３をプリンタ１００の正規の位置に装着しようとした場合には、廃トナーボトル８３はシール部材７０Ｙ、Ｍ、Ｃ、Ｋに具備される引き抜き忘れ防止部材７１Ｙ、Ｍ、Ｃ、Ｋと干渉して正規の位置に装着できない。ユーザーは、廃トナーボトル８３を正規の位置に装着できないことにより、シール部材７０Ｙ、Ｍ、Ｃ、Ｋを引き抜き忘れていることに気付くことができる。そして、シール部材７０Ｙ、Ｍ、Ｃ、Ｋは、プロセスカートリッジ６Ｙ、Ｍ、Ｃ、Ｋの着脱方向と同方向に引き抜き可能で、引きしろ部分が他の部材と干渉することがないため、ユーザーは、プロセスカートリッジ６Ｙ、Ｍ、Ｃ、Ｋを取り外すことなくシール部材７０Ｙ、Ｍ、Ｃ、Ｋを引き抜きくことが出来る。また、プロセスカートリッジの寿命によりプロセスカートリッジ６Ｙ、Ｍ、Ｃ、Ｋを交換した際にも、シール部材７０Ｙ、Ｍ、Ｃ、Ｋを引き忘れると廃ナーボトル８３を正規の位置に装着できないことになる。
【００３０】
上述した実施形態では、廃トナーボトル８３がプリンタ１００本体に装着される構成であったが、廃トナーボトル８３の装着位置はこれに限定されるものではない。図７は、別の実施形態に係るプリンタの開梱時の様子を説明する斜視図である。図７に示すように、プリンタ１００において、廃トナーボトル８３が側面外装カバー８０に取り付けられる構成であってもよい。ユーザーがシール部材７０Ｙ、Ｍ、Ｃ、Ｋを引き抜き忘れて側面外装カバー８０を閉じようとしても、側面外装カバー８０に装着された廃トナーボトル８３が引き忘れ防止部材７１Ｙ、Ｍ、Ｃ、Ｋと干渉して側面外装カバー８０を閉じることが出来ず、廃トナーボトル８３を正規の位置に装着できないことになる。
【００３１】
また、上述した引き抜き忘れ防止部材７１には、操作性を向上させるために次のような形状をもつものであってもよい。図８及び９は、図４とは異なる引き抜き忘れ防止部材を備えたプロセスカートリッジの斜視図である。図８に示すように、引き抜き忘れ防止部材７１Ｙには、ユーザーが把持する面に滑り止め部７２Ｙを形成してもよい。また、図９に示すように、引き抜き忘れ防止部材７１Ｙには、ユーザーが把持する面にユーザーが持ちやすいように指に合わせた凹部（Ｒ形状）７３Ｙを形成してもよい。
【００３２】
なお、上述の実施形態では、シール部材７０の露出部分に引き忘れ防止部材７１を設け、引き忘れ防止部材７１と廃トナー収容器８３とが干渉する構成としたが、これに限るものではない。シール部材７０の露出部分が廃トナー収容器の装着を妨げる構成であればよく、その材料、形状は特に限定されるものではない。また、上述の実施形態では、現像装置５Ｙ、Ｍ、Ｃ、Ｋと感光体１Ｙ、Ｍ、Ｃ、Ｋとを備えたプロセスカートリッジ６Ｙ、Ｍ、Ｃ、Ｋとして、プリンタ１００から着脱可能な構成について説明したがこれに限るものではない。少なくとも現像装置を備えていればよく、現像装置のみを装置本体から着脱可能としても良い。また、現像装置として、トナーとキャリアとからなる２成分現像方式を採用した現像装置について説明したが、トナーのみからなる１成分現像方式を採用してもよい。
【００３３】
以上、本実施形態によれば、プリンタ１００の開梱後に連通口封止部材であるシール部材７０の除去を忘れていると、廃トナー収容器８３を正規の位置に装着しようとしても除去忘れ防止部材である引き抜き忘れ防止部材７１と干渉して正規の位置に装着できない。そのため、ユーザーは、画像形成装置１００の開梱の際、確実にシール部材７０の除去忘れに気づくことができる。一方、画像形成装置１００の出荷時には、廃トナー収容器８３が正規の位置とは別の位置に同梱されるため、シール部材７０に引き抜き忘れ防止部材７１が具備されていても、廃トナー収容器８３と引き抜き忘れ防止部材７１とが干渉することがない。この出荷される画像形成装置本体に装着される同梱用の現像装置と、現像装置の寿命等により交換されるサービスパーツ用の現像装置とで、同一のものを使うことができるようになる。
また、本実施形態によれば、引き抜き忘れ防止部材７１Ｙ、Ｍ、Ｃ、Ｋは、プロセスカートリッジ６Ｙ、Ｍ、Ｃ、Ｋのケーシングの外側の色とは異なる色、具体的には赤やオレンジなどの目を引く色にしている。これにより、シール部材７０Ｙ、Ｍ、Ｃ、Ｋを除去していない状態で側面外装カバー８０を閉じることを試みる前に、視覚的にシール部材７３Ｙ、Ｍ、Ｃ、Ｋを除去していないことに気付くことができる。
また、本実施形態によれば、シール部材７０の露出する部分に引き抜き忘れ防止部材７１が固定されているため、引き忘れ防止部材７１を直接持ってシール部材７０を引き抜くことができ、シール部材７０の除去時の操作性が向上する。
また、本実施形態によれば、引き抜き忘れ防止部材７１には、ユーザーが把持しやすいように滑り止め部７２や凹部７３が形成されているため、シール部材７０の除去時の操作性がより向上する。
また、本実施形態に係るプロセスカートリッジによれば、上述したように、使用開始の際シール部材の引き抜き忘れを確実に防止すること可能である。出荷される画像形成装置本体に装着される同梱用のプロセスカートリッジと、現像装置の寿命等により交換されるサービスパーツ用のプロセスカートリッジとで、同一のものを使うことができるようになる。
また、本実施形態に係る現像装置によれば、上述したように、使用開始の際シール部材の引き抜き忘れを確実に防止すること可能である。出荷される画像形成装置本体に装着される同梱用の現像装置と、現像装置の寿命等により交換されるサービスパーツ用の現像装置とで、同一のものを使うことができるようになる。
【図面の簡単な説明】
【００３４】
【図１】本実施形態に係るプリンタの構成を示す概略構成図。
【図２】Ｙ用のプロセスカートリッジの構成を示す概略断面図。
【図３】シール部材を備えたプロセスカートリッジの外観構成を示す斜視図外観斜視図。
【図４】シール部材及び引き抜き忘れ防止部材を備えたプロセスカートリッジの外観構成を示す斜視図。
【図５】同プリンタの出荷時の様子を説明する斜視図。
【図６】同プリンタの開梱時の様子を説明する斜視図。
【図７】別の実施形態に係るプリンタの開梱時の様子を説明する斜視図。
【図８】図４とは異なる形状の引き抜き忘れ防止部材を備えたプロセスカートリッジの外観構成を示す斜視図。
【図９】図４とは異なる形状の引き抜き忘れ防止部材を備えたプロセスカートリッジの外観構成を示す斜視図。
【符号の説明】
【００３５】
１    感光体
２    ドラムクリーニング装置
５    現像装置
６    プロセスカートリッジ
１０    クリーニング装置
３１    ボトル収容器
３２  トナーボトル
５１  現像ローラ
５２  現像ドクタ
５３  現像ローラ収容部
５４  現像剤収容部
５５  搬送スクリュ
５６  濃度検知センサ
５７  制御部
５８  トナー補給口
５９  連通口
６３  仕切壁
６４  第１現像剤収容部
６５  第２現像剤収容部
７０  シール部材
７１  引き抜き忘れ防止部材
７２  連通口
７３  シール部材
７４  引き抜き忘れ防止部材
８０  側面外装カバー
８１  前部外装カバー
８２  上部外装カバー
８３  廃トナーボトル
１００  プリンタ
【図１】
0005477679.tif 000002
【図２】
0005477679.tif 000003
【図３】
0005477679.tif 000004
【図４】
0005477679.tif 000005
【図５】
0005477679.tif 000006
【図６】
0005477679.tif 000007
【図７】
0005477679.tif 000008
【図８】
0005477679.tif 000009
【図９】
0005477679.tif 000010